(57)【要約】【課題】  ピット蓋の伸張を柔軟に回避し、さらに幅方向に対しずれが生じないピット蓋を提供する。【解決手段】  長手方向に連結される合成樹脂性のピット蓋であって、長手方向の一端部に形成される少なくとも１つの突部と、長手方向の他の端部に形成され、隣接するピット蓋の突部が嵌入される受け部とを備える。さらに、ピット蓋の一端の下部に第１の張出部と、他の端部の上部に第２の張出部とを備え、突部を、第１の張出部の端部に形成し、受け部を、第２の張出部の下方であって、ピット蓋の他の端部に形成する。【選択図】図３
2006288021.tif 000002
【特許請求の範囲】
【請求項１】
長手方向に連結される合成樹脂性のピット蓋であって、
長手方向の一端部に形成される少なくとも１つの突部と、
長手方向の他の端部に形成され、隣接するピット蓋の前記突部が嵌入される受け部と、
を備えることを特徴とする、ピット蓋。
【請求項２】
前記ピット蓋は、一端の下部に第１の張出部と、他の端部の上部に第２の張出部とを有し、
前記突部が、前記第１の張出部の端部に形成され、
前記受け部が、前記第２の張出部の下方であって、前記ピット蓋の他の端部に形成されることを特徴とする、請求項１に記載のピット蓋。
【請求項３】
前記突部が半球体であり、
前記受部が少なくとも２以上の半球体から構成され、前記突部の半球体の直径よりも５〜１５％小さな空間を形成し、配置される半球体郡であることを特徴とする、請求項１または２に記載のピット蓋。
【請求項４】
前記突部が角錐台であり、
前記受部が少なくとも２以上の角錐台から構成され、前記突部の角錐台の下辺よりも５〜１５％小さな空間を形成し、配置される角錐台郡であることを特徴とする、請求項１または２に記載のピット蓋。
【発明の詳細な説明】
【技術分野】
【０００１】
本発明は、歩行可能な設置面（例えば屋内の床面や屋外の地面等）に凹設され、ケーブルなどが配置されるピットに対し、その開口部を開閉し得るピット蓋の補強構造に関する。
【背景技術】
【０００２】
工場、変電所などでは、ケーブルの点検などでピットの蓋（以下、ピット蓋という。）を取りはずす必要が多々ある。しかしながら、現在使用されているコンクリート製のピット蓋は重く、作業性を著しく低下させている。
【０００３】
近年、重量のあるコンクリート製のピット蓋に代わって、軽量で腐食に強く、リサイクル性に富む樹脂性のピット蓋が用いられるようになった。これによって、作業者はピット蓋の持ち上げや、閉じこみといった作業が容易となった。
【０００４】
しかしながら、樹脂性のピット蓋は太陽熱などにより収縮が発生し、その収縮はコンクリートの収縮と比べて大きい。具体的には、ピットの内径Ｌが５００ｍｍに対応するピット蓋の場合、１０℃〜８０℃の温度変動があると長手方向に約３ｍｍ伸張する。また、真夏時にはピット蓋が膨張して互いに押し合い、ピット蓋がめくれあがるという問題点がある。
【０００５】
そこで、特許文献１では、ピット蓋の接合部に可とう性リブを設けて、可とう性リブで熱膨張を吸収するようにしている。
【０００６】
図６は、特許文献１で開示される従来のピット蓋の斜視図である。図６で示すピット蓋は、樹脂蓋２３の接合端面部に張出受け部２７を、樹脂蓋２５の接合端面部に張出載置部２９をそれぞれ成形し、裏面側には複数の補強リブ３１を成形したものにおいて、樹脂蓋２５の張出載置部２９における中央に突出片３３を突出成形する。
【０００７】
また、樹脂蓋２３の張出受部２７における中央に切欠部３５を切り欠き成形する。さらに、樹脂蓋２３の裏面内部における張出受け部２７よりに可とう性リブ３７を成形して切欠部３５に間隔をおいて対向させ、可とう性リブ３７と突出片３３とを温度上昇時に接触させて熱膨張を吸収する。
【０００８】
図７は、図６に示すピット蓋のＡ−Ａ線断面図である。突出片３３は切欠部３５と間隔をおき、対向させて配置するが、図７に示すとおり、温度上昇による樹脂蓋２５の熱膨張により突出片３３が可とう性リブ３７を押し出している。すなわち、可とう性リブ３７によって、突出片３３の伸張が止められている。
【特許文献１】登録実用新案第３０２２６４６号公報
【発明の開示】
【発明が解決しようとする課題】
【０００９】
しかしながら、特許文献１に開示されるピット蓋は、その裏側に張り出し部を設け、もう一方の突合せ部の裏側に薄いリブ板を設けることで伸張を回避することとしているが、突き当てる薄いリブ板が樹脂の硬化により割れ落ちて機能を果たさない可能性がある。さらに、ピット蓋の幅方向に対して、切欠部と突出片との間にゆとり（隙間）ができるため、幅方向に対し横ずれが発生する恐れもある。
【００１０】
本発明は上述した問題点に鑑みてなされたものであり、ピット蓋の伸張を柔軟に回避し、幅方向に対し、ずれが生じないピット蓋を提供する。
【課題を解決するための手段】
【００１１】
本発明のピット蓋の第１の態様は、長手方向に連結される合成樹脂性のピット蓋であって、長手方向の一端部に形成される少なくとも１つの突部と、長手方向の他の端部に形成され、隣接するピット蓋の突部が嵌入される受け部と、を備えることを特徴とするピット蓋である。
【００１２】
本発明のピット蓋の第２の態様は、ピット蓋は、一端の下部に第１の張出部と、他の端部の上部に第２の張出部とを有し、突部が、第１の張出部の端部に形成され、受け部が、第２の張出部の下方であって、ピット蓋の他の端部に形成されることを特徴とするピット蓋である。
【００１３】
本発明のピット蓋の第３の態様は、突部が半球体であり、受部が少なくとも２以上の半球体から構成され、突部の半球体の直径よりも５〜１５％小さな空間を形成し、配置される半球体郡であることを特徴とするピット蓋である。
【００１４】
本発明のピット蓋の第４の態様は、突部が角錐台であり、受部が少なくとも２以上の角錐台から構成され、突部の角錐台の下辺よりも５〜１５％小さな空間を形成し、配置される角錐台郡であることを特徴とするピット蓋である。
【発明の効果】
【００１５】
本発明のピット蓋により、温度上昇時のピット蓋の伸張を柔軟に回避でき、さらに幅方向に対しずれが生じないピット蓋となる。
【発明を実施するための最良の形態】
【００１６】
以下、本発明の実施形態について、図１から図５を参照して、詳細に説明する。
【００１７】
（第１実施形態）
図１は、ピット及び本発明のピット蓋を模式的に示す斜視図である。図１で示すピット７の内部には、複数本のケーブル９が配置されている。そして、ピット７に対し、ピット蓋１、３、５が覆い被せられ、ピット７に蓋が被せられている状態となっている。ピット蓋１には、突部１１が形成されており、ピット３、５についても同様に図示しない突部１１が形成されている。なお図１に示すＬはピットの内径を示す。
【００１８】
作業者がピット７に対してピット蓋５を載置する場合、まず、ピット蓋５をピット７に置く。さらにピット蓋３、ピット蓋１の順番で置く。この場合、ピット蓋５の第１の張出部と、ピット蓋３の第２の張出部とが、互いに交互に重なりあうように置く。ピット蓋３の次に置くピット蓋１の置く方法も上述した置く方法と同様である。
【００１９】
作業者は、ピット７の内部に配置されたケーブル９に対する作業を行う場合、ピット蓋１、３、５をピット７から取り外す。この場合、作業者は、ピット蓋１をはずし、順にピット蓋３、ピット蓋５をはずし、ケーブル９に対する作業を行う。
【００２０】
続いて、本発明のピット蓋の補強構造について図２を参照しながら詳細に説明する。
【００２１】
図２は、本発明のピット蓋であって、熱膨張する前の状態を模式的に示す図である。図２（ａ）は、ピット蓋の側面図であり、図２（ｂ）は、ピット蓋の底面図である。なお、図１に示すピット蓋の各部と同様の構成には同一符号を付し、その説明を省略する。
【００２２】
はじめに、図２（ａ）について説明する。図２（ａ）に示すピット蓋１は、ピット蓋１の一端の下部に第１の張出部２と、ピット蓋１の他の端部の上部に第２の張出部４とを有している。さらに、第１の張出部２の端部には、半球体である突部１１が形成されており、第２の張出部４の下方であって、ピット蓋１の他の端部に、半球体である受け部１３が形成されている。ピット蓋３の構成についても、ピット蓋１の構成と同様である。
【００２３】
ピット蓋１をピットに配置する際には、図２（ａ）に示すとおり、ピット蓋１の第２の張出部４と、ピット蓋３の第１の張出部２とが互いに重ね合わさるように作業者は配置する。なお、熱膨張前の状態であるので、ピット蓋１、３は伸張しておらず、ピット蓋３の突部１１とピット蓋１の受け部１３とはわずかに接触している程度である。
【００２４】
次に、図２（ｂ）について説明する。図２（ｂ）に示すピット蓋１には半球体である２つの受け部１３−１、１３−２とが形成されている。一方で、ピット蓋３には、半球体である１つの突部１１が形成されている。
【００２５】
ピット蓋１とピット蓋３は、突部１１と、受け部１３−１、１３−２に従って固定される。すなわち、ピット蓋３の突部１１は、ピット蓋１の２つの受け部１３−１、１３−２との間にある空間に嵌入され、固定される。なお、ピット蓋１に形成された２つの受け部１３−１、１３−２との間に形成された空間は、ピット蓋３に形成された突部１１の直径よりも５％〜１５％程度小さな空間を形成するように構成されている。
【００２６】
上述したとおり、ピット蓋３に形成された半球体の突部１１は、ピット蓋１に形成された半球体の２つの受け部１３−１、１３−２により、固定される。したがって、ピット蓋３は、幅方向に対し横ずれ防止の機能を有することとなる。同様にして、隣接するピット蓋すべてに対し、幅方向に対する横ずれが防止できる。
【００２７】
図３は、本発明のピット蓋であって、熱膨張した後の状態を模式的に示す図である。図３（ａ）は、ピット蓋の側面図であり、図３（ｂ）は、ピット蓋の底面図である。なお、図２に示すピット蓋の各部と同様の構成には同一符号を付し、その説明を省略する。
【００２８】
はじめに、図３（ａ）について説明する。図３（ａ）に示すピット蓋３に形成された第１の張出部２には、突部１１が備えられており、その突部１１は、受け部１３によって覆い被せられている。これは、ピット蓋１が熱膨張した結果、長手方向に伸張した状態を示す。すなわち、ピット蓋１が伸張した結果、受け部１３が長手方向に移動し、ピット蓋３の突部１１が受け部１３−１と１３−２との間に深く嵌入するものである。
【００２９】
次に、図３（ｂ）について説明する。図３（ｂ）に示す点線部は、伸張前のピット蓋１を示す。そして、ピット蓋１の伸張は、図３（ｂ）に示す矢印に従って伸張する。ピット蓋１が伸張した結果、受け部１３−１、１３−２が長手方向に移動し、ピット蓋３の突部１１が受け部１３に深く嵌入するものである。
【００３０】
上述したとおり、ピット蓋１に形成された受け部１３−２、１３−２と、伸張したピット蓋３に形成された第１の張出部２に備えられる突部１１とが、ピット蓋１の伸張分を吸収し、ピット蓋１の跳ね上がりを抑えることが可能となる。同様にして、隣接するピット蓋すべてに対し、跳ね上がりを防止できる。
【００３１】
（第２実施形態）
図４は、本発明の第２実施形態のピット蓋であって、熱膨張する前の状態を模式的に示す図である。図４（ａ）は、ピット蓋の側面図であり、図４（ｂ）は、ピット蓋の底面図である。なお、図２に示すピット蓋の各部と同様の構成には同一符号を付し、その説明を省略する。
【００３２】
はじめに、図４（ａ）について説明する。図４（ａ）に示すピット蓋１は、ピット蓋１の一端の下部に第１の張出部２と、ピット蓋１の他の端部の上部に第２の張出部４とを有している。さらに、第１の張出部２の端部には、角錐台である突部１５が形成されており、第２の張出部４の下方であって、ピット蓋１の他の端部に、角錐台である受け部１７が形成されている。ピット蓋３の構成についても、ピット蓋１の構成と同様である。
【００３３】
ピット蓋１をピットに配置する際には、図４（ａ）に示すとおり、ピット蓋１の第２の張出部４と、ピット蓋３の第１の張出部２とが互いに重ね合わさるように作業者は配置する。なお、熱膨張前の状態であるので、ピット蓋１、３は伸張しておらず、ピット蓋３の突部１５とピット蓋１の受け部１７はわずかに接触している程度である。
【００３４】
次に、図４（ｂ）について説明する。図４（ｂ）に示すピット蓋１には角錐台である２つの受け部１７−１、１７−２とが形成されている。一方で、ピット蓋３には、角錐台である１つの突部１５が形成されている。
【００３５】
ピット蓋１とピット蓋３は、突部１５と、受け部１７−１、１７−２に従って固定される。すなわち、ピット蓋３の突部１５は、ピット蓋１の２つの受け部１７−１、１７−２との間にある空間に嵌入され、固定される。なお、ピット蓋１に形成された２つの受け部１７−１、１７−２との間に形成された空間は、ピット蓋３に形成された突部１５の下辺よりも５％〜１５％程度小さな空間として構成されている。
【００３６】
上述したとおり、ピット蓋３に形成された角錐台の突部１５は、ピット蓋１に形成された角錐台の２つの受け部１７−１、１７−２により、固定される。したがって、ピット蓋３は、幅方向に対し横ずれ防止の機能を有することとなる。同様にして、隣接するピット蓋すべてに対し、幅方向に対する横ずれが防止できる。
【００３７】
また、図３を参照して説明した第１実施形態と同様に、ピット蓋１に形成された受け部１７−２、１７−２と、伸張したピット蓋３に形成された第１の張出部２に備えられる突部１５とが、ピット蓋１の伸張分を吸収し、ピット蓋１の跳ね上がりを抑えることが可能となる。同様にして、隣接するピット蓋すべてに対し、跳ね上がりを防止できる。
【００３８】
（第３実施形態）
図５は、本発明の第３実施形態のピット蓋であって、熱膨張する前の状態を模式的に示す図である。図５（ａ）は、ピット蓋の側面図であり、図５（ｂ）は、ピット蓋の底面図であり、図５（ｃ）は、ピット蓋の正面図である。なお、図２に示すピット蓋の各部と同様の構成には同一符号を付し、その説明を省略する。
【００３９】
はじめに、図５（ａ）について説明する。図５（ａ）に示すピット蓋１は、ピット蓋１の一端の下部に第１の張出部２と、ピット蓋１の他の端部の上部に第２の張出部４とを有している。さらに、第１の張出部２の端部には、半球体である突部１９−１と、図示しない突部１９−２が形成されており、第２の張出部４の下方であって、ピット蓋１の他の端部に、半球体である受け部２１−１、２１−５及び図示しない受け部２１−２〜２１−４、２１−６〜２１−８の総計８つが形成されている。ピット蓋３の構成についても、ピット蓋１の構成と同様である。
【００４０】
ピット蓋１をピットに配置する際には、図５（ａ）に示すとおり、ピット蓋１の第２の張出部４と、ピット蓋３の第１の張出部２とが互いに重ね合わさるように作業者は配置する。なお、熱膨張前の状態であるので、ピット蓋１、３は伸張しておらず、ピット蓋３の突部１９−１とピット蓋１の受け部２１−１、２１−２、２１−５、２１−６、ピット蓋３の突部１９−２とピット蓋１の受け部２１−３、２１−４、２１−７、２１−８はわずかに接触している程度である。
【００４１】
次に、図５（ｂ）について説明する。図５（ｂ）に示すピット蓋１には半球体である４つの受け部２１−１〜２１−４、２１−５〜２１−８とが形成されている。一方で、ピット蓋３には、半球体である２つの突部１９−１、１９−２が形成されている。
【００４２】
ピット蓋１とピット蓋３は、それぞれ突部１９−１と受け部２１−１、２１−２、２１−５、２１−６、突部１９−２と受け部２１−３、２１−４、２１−７、２１−８に従って固定される。すなわち、ピット蓋３の突部１９−１、１９−２は、それぞれピット蓋１の４つの受け部２１−１、２１−２、２１−５、２１−６及び２１−３、２１−４、２１−７、２１−８との間にある空間に嵌入され、固定される。
【００４３】
最後に、図５（ｃ）について説明する。図５（ｃ）に示すピット蓋１には、４つの半球体２１−１、２１−２、２１−５、２１−６及び４つの半球体２１−３、２１−４、２１−７、２１−８とが形成されている。なお、図５（ｃ）に示す２つの点線は、ピット蓋３の突部１９−１、１９−２を示している。したがって、図５（ｃ）に示すとおり、ピット蓋３の突部１９−１、１９−２は、それぞれ４つの受け部２１−１、２１−２、２１−５、２１−６及び２１−３、２１−４、２１−７、２１−８によって固定される。
【００４４】
上述したとおり、ピット蓋３に形成された半球体の２つの突部１９−１、１９−２は、ピット蓋１に形成された半球体の８つの受け部２１−１〜２１−８により、固定される。したがって、ピット蓋３は、幅方向に対し横ずれ防止の機能を有することとなる。同様にして、隣接するピット蓋すべてに対し、幅方向に対する横ずれが防止できる。
【００４５】
また、図３を参照して説明した第１実施形態と同様に、ピット蓋１に形成された受け部２１−１〜２１−８と、伸張したピット蓋３に形成された第１の張出部２に備えられる突部１９−１、１９−２とが、ピット蓋１の伸張分を吸収し、ピット蓋１の跳ね上がりを抑えることが可能となる。同様にして、隣接するピット蓋すべてに対し、跳ね上がりを防止できる。
【００４６】
さらに、本発明は、上述した実施形態に限定されるものではなく、その要旨を逸脱しない範囲内で種々変形して実施することが可能である。
【産業上の利用可能性】
【００４７】
本発明のピット蓋により、伸張を柔軟に回避でき、幅方向に対しずれが生じないピット蓋となり産業上の利用可能性が高い。
【図面の簡単な説明】
【００４８】
【図１】ピット及びピット蓋を模式的に示す斜視図である。
【図２】本発明のピット蓋の第１実施形態を説明する側面図及び底面図である。
【図３】本発明のピット蓋の第１実施形態を説明する側面図及び底面図である。
【図４】本発明のピット蓋の第２実施形態を説明する側面図及び底面図である。
【図５】本発明のピット蓋の第３実施形態を説明する側面図、底面図、正面図である。
【図６】従来の合成樹脂性ピット蓋を裏面からみた状態を示す斜視図である。
【図７】図６に示す合成樹脂性ピット蓋のＡ−Ａ線断面図である。
【符号の説明】
【００４９】
１、３、５  ピット蓋
７  ピット
９  ケーブル
１１、１５、１９−１、１９−２  突部
１３、１３−１、１３−２、１７、１７−１、１７−２、２１−１〜２１−８  受け部
２３、２５  樹脂蓋
２７  張出受け部
２９  張出載置部
３１  補強リブ
３３  突出片
３５  切欠部
３７  可とう性リブ
【図１】
2006288021.tif 000003
【図２】
2006288021.tif 000004
【図３】
2006288021.tif 000005
【図４】
2006288021.tif 000006
【図５】
2006288021.tif 000007
【図６】
2006288021.tif 000008
【図７】
2006288021.tif 000009